(57)【特許請求の範囲】
【請求項１】
監視エリア内に複数の吸入口が設けられたサンプリング管と、前記サンプリング管が接続されて室内に固定された本体部とを有し、該本体部は、導入された煙の検出を行う検煙部と、該検煙部で検出された煙濃度を検出する煙濃度検出部及び該煙濃度に関する情報を外部へ発信する発信情報として作成する発信情報作成部を有する制御部と、該発信情報を無線信号によって発信する発信部とを備えた固定式煙検出装置と、
サンプリング管と、該サンプリング管が接続された本体部とを有し、該本体部は、導入された煙の検出を行う検煙部と、該検煙部で検出された煙濃度を検出する煙濃度検出部及び該煙濃度に関する情報を外部へ発信する発信情報として作成する発信情報作成部を有する制御部と、該発信情報を無線信号によって発信する発信部とを備えた移動式煙検出装置と、
前記本体部から無線によって発信される情報を表示する携帯型端末器と、を備え、
該携帯型端末器は、前記発信部から発信される無線信号を受信する受信部と、該受信部で受信された情報を文字及び／又は画像として画面に表示する表示部と、受信対象を前記固定式煙検出装置の発信部からの無線信号から前記移動式煙検出装置の発信部からの無線信号に切り替える機能を有していることを特徴とする煙検出装置。
【請求項２】
監視エリア内に複数の吸入口が設けられたサンプリング管と、前記サンプリング管が接続されて室内に固定された本体部とを有し、該本体部は、導入された煙の検出を行う検煙部と、該検煙部で検出された煙濃度を検出する煙濃度検出部及び該煙濃度に関する情報を外部へ発信する発信情報として作成する発信情報作成部を有する制御部と、該発信情報を無線信号によって発信する発信部とを備えた固定式煙検出装置と、
サンプリング管と、該サンプリング管が接続された本体部とを有し、該本体部は、導入された煙の検出を行う検煙部と、該検煙部で検出された煙濃度を検出する煙濃度検出部及び該煙濃度に関する情報を外部へ発信する発信情報として作成する発信情報作成部を有する制御部と、該発信情報を無線信号によって発信する発信部とを備えた移動式煙検出装置と、
前記本体部から無線によって発信される情報を表示する携帯型端末器と、を備え、
該携帯型端末器は、前記発信部から所定の情報を受信した際に振動するバイブレーション手段と、受信対象を前記固定式煙検出装置の発信部からの無線信号から前記移動式煙検出装置の発信部からの無線信号に切り替える機能を有していることを特徴とする煙検出装置。
【請求項３】
前記制御部は、検出された煙濃度に基づくアラームに関する情報を作成するアラーム作成部と、本体部の機器に関する異常状態を検出する異常状態検出部を有し、
前記発信情報作成部は、前記アラームに関する情報及び前記異常状態に関する情報を発信情報として作成することを特徴とする請求項１又は２に記載の煙検出装置。
【発明の詳細な説明】
【技術分野】
【０００１】
本発明は煙検出装置に関し、特にサーバー室等に設置される固定式、あるいはサーバー室等において火源を探索するのに用いる移動式の超高感度型の煙検出装置に関する。
【背景技術】
【０００２】
建築物の一般的な部屋の天井面等には法令による規定に基づいて煙感知器が設置され、管理室等に設けられた受信機で集中管理が行われている。
他方、サーバー等の重要なコンピュータや精密機械等が設置される特殊な部屋においては、火災等をできるだけ早期に発見して設置されている機器類を損傷から保護したいという強い要請がある。
このため、火災の極めて初期の予兆段階を捉えて対処できるようにするために、上記の天井面等に設置される一般的な煙感知器に加えて、煙が肉眼では確認できないような段階のものであっても、それを検出することができる程の超高感度型の煙検出装置が設置される（以下、「固定式煙検出装置」という場合あり）。
【０００３】
このような超高感度の固定式煙検出装置は、監視エリア内に複数の吸入口が設けられたサンプリング管を本体に接続し、サンプリング管は火源となり易い箇所に吸入口を向けて配設されている（特許文献１参照）。
固定式煙検出装置の本体は、火災監視を行う部屋であるサーバー室等に設置されているが、この本体は管理室に設置されている火災受信機に有線で接続されており、警報が発信されると管理者に報知されるようになっている。
また、本体には表示部が設けられ、検出された煙の量等をバーグラフ等で表示できるようになっている。
【０００４】
上記のようにサーバー室に設置された固定式煙検出装置から警報が報知されると、管理者はサーバー室に行き、火源を探知することになる。この場合、目視と臭いで火源を探知することが行われていたが、より確実に火源の場所特定を行うために、特許文献２に開示されたような移動式煙検出装置が提案されている。
移動式煙検出装置は、煙検出装置本体と、煙検出装置本体に可撓管を介して接続されたサンプリング管を有し、管理者は煙検出装置本体をショルダーストラップで肩から保持して、サンプリング管を火源と思われる場所に向けて探索を行うというものである。
【先行技術文献】
【特許文献】
【０００５】
【特許文献１】特開２０１４−５２７９０号公報
【特許文献２】特開２０１５−６９６２６号公報
【発明の概要】
【発明が解決しようとする課題】
【０００６】
＜固定式煙検出装置の課題＞
固定式煙検出装置によって煙が検出され、管理室に通知されると、管理者は警報があった室内に行き、実際に煙が発生した場所を特定するための探索を行う。
その場合、通常は目視できない程度の煙であるため、管理者はまず、本体の表示部に表示されているバーグラフ等の情報で状況確認することになるが、実際に警報が発せられてから時間が経過しており、リアルタイムでの状況確認ができない。
【０００７】
また、室内において火源を探索する際には、本体の表示部を見ることができず、火源探索を効率的にできないという課題もある。
さらに、煙検出装置は定期的に検査することになっており、検査の際には吸入口から模擬煙となるガスを吸入させて本体の警報発信状態を確認することになるが、その際には、吸入口からガスを吸入させる者と本体の表示部を確認する者の最低でも２名の作業者が必要となり効率が悪いという課題もある。
【０００８】
＜移動式煙検出装置の課題＞
図６に示すように、移動式煙検出装置５１によって火源を探索する場合、複数のサーバーラック５３、空調機５５、固定式煙検出装置５７等が設置されたサーバー室５９において、サーバーラック５３にサンプリング管６１を向けて雰囲気を吸入し、その検出結果をショルダーストラップ６３で肩から保持している煙検出装置本体６５の表示部を確認することになる。
しかし、サンプリング管６１を所定の位置に配置して、目線を表示部に移さなければならず、効率が悪いという問題がある。
【０００９】
本発明はかかる課題を解決するためになされたものであり、煙等の異常が検出されたときにリアルタイムでの異常内容確認ができ、効率的な火源の探索が可能な煙検出装置を提供することを目的としている。
【課題を解決するための手段】
【００１０】
（１）本発明に係る煙検出装置は、サンプリング管を介して雰囲気を吸入して煙の検出を行う煙検出装置であって、前記サンプリング管が接続された本体部と、該本体部から無線によって発信される情報を表示する携帯型端末器とを有し、前記本体部は、導入された煙の検出を行う検煙部と、該検煙部で検出された煙濃度を検出する煙濃度検出部及び該煙濃度に関する情報を外部へ発信する発信情報として作成する発信情報作成部を有する制御部と、該発信情報を無線信号によって発信する発信部とを備え、前記携帯型端末器は、前記発信部から発信される無線信号を受信する受信部と、該受信部で受信された情報を文字及び／又は画像として画面に表示する表示部とを備えたことを特徴とするものである。
【００１１】
（２）また、サンプリング管を介して雰囲気を吸入して煙の検出を行う煙検出装置であって、前記サンプリング管が接続された本体部と、該本体部から無線によって発信される情報を表示する携帯型端末器とを有し、前記本体部は、導入された煙の検出を行う検煙部と、該検煙部で検出された煙濃度を検出する煙濃度検出部及び該煙濃度に関する情報を外部へ発信する発信情報として作成する発信情報作成部を有する制御部と、該発信情報を無線信号によって発信する発信部とを備え、前記携帯型端末器は、前記発信部から所定の情報を受信した際に振動するバイブレーション手段を備えていることを特徴とするものである。
【００１２】
（３）また、上記（１）又は（２）に記載のものにおいて、前記制御部は、検出された煙濃度に基づくアラームに関する情報を作成するアラーム作成部と、本体部の機器に関する異常状態を検出する異常状態検出部を有し、前記発信情報作成部は、前記アラームに関する情報及び前記異常状態に関する情報を発信情報として作成することを特徴とするものである。
【００１３】
（４）また、上記（１）又は（３）に記載のものにおいて、前記携帯型端末器は、前記発信部から所定の情報を受信した際に振動するバイブレーション手段を備えていることを特徴とするものである。
【発明の効果】
【００１４】
本発明に係る煙検出装置においては、サンプリング管が接続された本体部と、該本体部から無線によって発信される情報を表示する携帯型端末器とを有し、前記本体部は、導入された煙の検出を行う検煙部と、該検煙部で検出された煙濃度を検出する煙濃度検出部及び該煙濃度に関する情報を外部へ発信する発信情報として作成する発信情報作成部を有する制御部と、該発信情報を無線信号によって発信する発信部とを備え、前記携帯型端末器は、前記発信部から発信される無線信号を受信する受信部と、該受信部で受信された情報を文字及び／又は画像として画面に表示する表示部とを備えたことにより、煙等の異常が検出されたときにリアルタイムでの異常内容確認ができ、効率的な火源探索が可能となる。
【図面の簡単な説明】
【００１５】
【図１】本発明の一実施の形態に係る煙検出装置の説明図である。
【図２】図１に示した煙検出装置の制御部及び携帯型端末器の説明図である。
【図３】本発明の一実施の形態における携帯型端末器の表示例の説明図である（その１）。
【図４】本発明の一実施の形態における携帯型端末器の表示例の説明図である（その２）。
【図５】本発明の一実施の形態における携帯型端末器の表示例の説明図である（その３）。
【図６】発明が解決しようとする課題の説明図である。
【発明を実施するための形態】
【００１６】
本実施の形態に係る煙検出装置１は、図１に示すように、雰囲気を吸入するサンプリング管３が接続された本体部５と、本体部５から無線によって発信される情報を表示する携帯型端末器６とを有するものである。
以下、詳細を図１に基づいて説明する。
【００１７】
＜サンプリング管＞
サンプリング管３は、本体部５のサンプリング管接続部に接続され、室内に枝分かれするように配設されている。サンプリング管３には雰囲気を吸入する吸入口３ａが設けられ、特に煙の発生の可能性がある箇所に向けて配置されている。
【００１８】
＜本体部＞
本体部５には、サンプリング管３を介して吸入された煙を本体部５内に導入する煙導入路７、煙導入路７の途中に設けられたフィルタ９、フィルタ９を通過した煙を検煙部１１に導入するための煙導入管１３、検煙部１１から煙を排出するための煙排出管１５、煙排出管１５と煙導入路７とを連結すると共に煙の吸引をするための吸引管１７、吸引管１７に設けられた吸引用のファン１９を備えている。
また、検煙部１１での煙検出情報等を出力する制御部２１、制御部２１にて出力される情報を無線で発信する発信部２３、各部に電源を供給する電源部２５が設けられている。
【００１９】
検煙部１１には、光を発する発光部２７、煙による散乱光を受光する受光部２９、光トラップ３１が設けられた遮光部３３が設けられている。
受光部２９に散乱光が受光されるとその情報が制御部２１に出力され、発信部２３を介して無線送信される。
【００２０】
制御部２１は、図２に示すように、検煙部１１の煙検出濃度を判別する煙濃度検出部３５と、煙濃度検出部３５の検出値に基づいてアラームを作成するアラーム作成部３７と、機器内に生じた異常状態を検出する異常状態検出部３９と、無線によって発信する情報を作成する発信情報作成部４１を有している。
アラーム作成部３７は、検出した煙の量に応じて各種の文字情報を作成し、例えば検出した煙の量が所定量より多い場合（即ち、煙濃度が第１の閾値より高い場合）には「警戒」、煙が検出されないか、あるいは極めて少ない場合（即ち、煙濃度が第２の閾値より低い場合）には「正常」、煙が検出されたが「警戒」で規定される量よりは少ない場合（即ち、煙濃度が第２の閾値より高く、第１の閾値より低い場合）には「注意」というように３段階の文字情報を作成する。なお、第１の閾値の煙濃度は、例えば０．５％／ｍであり、第２の閾値の煙濃度は、例えば０．２％／ｍである。
なお、アラーム作成部３７は、注意、警戒の順で音量が大きくなるようなアラーム音を同時に作成するようにしてもよい。
異常状態検出部３９は、煙検出装置１の異常を検出するもので、例えばファン１９による吸入量が通常時よりも少なくなっているような状態を検出する。
【００２１】
発信情報作成部４１は、アラーム作成部３７で作成されたアラームに関する情報及び異常状態検出部３９で検出された異常状態に関する情報を発信情報として作成する。
【００２２】
発信部２３は、制御部２１からの情報を無線信号によって発信する。
発信部２３は、デジタル機器用の近距離無線通信規格の1つであるBluetooth（ブルーツース：登録商標）信号を発信するものを利用することができるが、これに限られず、例えばＷｉ−Ｆｉなどでもよい。
【００２３】
＜携帯型端末器＞
携帯型端末器６は本体部５から無線によって発信される情報を表示するものであり、発信部２３から発信される無線信号を受信する受信部４３と、受信部４３で受信された情報を文字及び／又は画像として画面４５に表示する表示部４７とを備えている。
携帯型端末器６の種類は特に問わず、市販されている携帯電話、携帯情報端末、スマートフォン等によって構成することができる。
もっとも、携帯型端末器６には、発信部２３から送信された信号を受信して、送信された情報を画面４５へ表示するためのアプリケーションを備える必要がある。
画面４５への表示例として、前述した「警戒」、「正常」及び「注意」の画面４５への表示例をそれぞれ図３、図４及び図５に示す。
【００２４】
また、携帯型端末器６は、所定の情報（例えば、煙濃度が第１の閾値より高い、等）を受信した際に振動するバイブレーション手段を備えるようにすればより好ましい。さらに、煙濃度の上昇に応じて、例えば、画面４５の「正常」、「注意」及び「警戒」の表示に応じて、バイブレーション手段による振動の強度を上げていくとなお良い。
この場合、作業者は携帯型端末器６を衣服のポケット等に入れていたような場合でも異常状態が発生したことを直ぐに知り、その内容を画面で確認することができる。
また、携帯型端末６は、画面表示することなくバイブレーション手段によって振動のみで情報を伝達するような端末でもよい。この場合も上述の「警戒」「正常」および「注意」に相当する閾値に応じて振動の強度やタイミングを変えてもよい。
【００２５】
以上のように構成された本実施の形態の煙検出装置１の動作を説明する。
本体部５が設置された室内で煙が発生すると、有線によって監視室に警報が発信されると共に、発信部２３から無線信号が送信される。
管理者は、携帯型端末器６を所持しているので、警報が発信されたリアルタイムの状況を携帯型端末器６の画面４５で確認することができる。
例えば、図３に示すように、アラーム情報を一目で確認でき、さらに詳細な状況として、例えば煙濃度を数値で知ることができる。
【００２６】
携帯型端末器６で知ることのできる情報は、適宜設定等できるが、この例では、煙濃度以外に、本体部５における異常状態を文字情報として知ることができるようになっている。異常状態としては、例えば、吸引量不足等が挙げられる。
【００２７】
警報を受信した管理者は、携帯型端末器６を持参して警報を発した煙検出装置１が設置されている室内に向かう。この現場に向かっている状態でも、常に煙感知の情報を携帯型端末器６で確認できるので、警報を発してからの経過を知ることができ、その後の対策、対応を適切に取ることができる。
【００２８】
管理者は現場に到着すると、目視、臭い等で火源を探すことになるが、その際にも携帯型端末器６の画面４５をリアルタイムで確認しながら探すことで、より迅速な探索が可能となる。
また、発信部２３から発信される電波は、複数の携帯型端末器６で受信することができるので、複数名の管理者がいる場合には、各自が携帯型端末器６を所持することで、火源探索を効率的に行うことができる。
【００２９】
また、定期点検時において、前述したように従来であれば作業者が２名必要であったが、本発明の煙検出装置１であれば、１名がサンプリング管３の吸入口３ａに模擬煙のガスを注入すると共に携帯型端末器６の表示画面を確認することで作業が可能となる。
【００３０】
また、本体部５に設置されているバーグラフは複数段階になっているが、通常このようなバーグラフは設定されている感度での表示であるため、バーグラフが同じ段階であっても、感度が高く設定されている場合と低く設定されている場合では実際に検出した煙の量は不明である。
この点、本発明によれば、煙量を表示部４７に表示するようにしているので、本体部５で設定されている感度に関わらず、正確に検出した煙の量を知ることができる。
【００３１】
なお、上記の説明は、本体部５がサーバー室等に固定されている固定式の煙検出装置１についてのものであるが、本発明はこれに限られず、特許文献２で開示されたように本体部を操作者が持ち運びしながら火源の探索を行う移動式のものであってもよく、本発明における本体部５には移動式のものを含む。
煙検出装置が移動式のものであっても、サンプリング管を持つ手でない方の手で携帯型端末器６を持って火源探索を行えば、サンプリング管の位置を変えながら移動している最中に目線を移して本体部の表示部を見ることなく、スムーズな火源探索ができる。
【００３２】
また、バイブレーション手段を備えている場合には、携帯型端末６をポケット等に入れて作業することも可能となり、そうすれば片手がフリーになるのでより作業しやすくなる。
また、携帯型端末６が受信する煙検出装置を切り替え可能とすることで、固定式煙検出装置１からの情報をもとに移動式煙検出装置５１を用いて火源探索する際に、受信対象とする煙検出装置を固定式煙検出装置１から移動式煙検出装置５１に切り替えることでよりスムーズな火源探索ができる。
【符号の説明】
【００３３】
１  煙検出装置
３  サンプリング管
３ａ  吸入口
５  本体部
６  携帯型端末器
７  煙導入路
９  フィルタ
１１  検煙部
１３  煙導入管
１５  煙排出管
１７  吸引管
１９  ファン
２１  制御部
２３  発信部
２５  電源部
２７  発光部
２９  受光部
３１  光トラップ
３３  遮光部
３５  煙濃度検出部
３７  アラーム作成部
３９  異常状態検出部
４１  発信情報作成部
４３  受信部
４５  画面
４７  表示部
５１  移動式煙検出装置
５３  サーバーラック
５５  空調機
５７  固定式煙検出装置
５９  サーバー室
６１  サンプリング管（従来例）
６３  ショルダーストラップ
６５  煙検出装置本体
【図１】
0006662621.tif 000002
【図２】
0006662621.tif 000003
【図３】
0006662621.tif 000004
【図４】
0006662621.tif 000005
【図５】
0006662621.tif 000006
【図６】
0006662621.tif 000007